(57)【要約】      （修正有）【課題】サンドイッチその他の食品を収納部から容易に取り出すことができ、しかも、構造が簡易な食品用の包装袋を提供する。【解決手段】この食品用の包装袋は、重ね合わされている表裏フィルム１０，２０の両側縁１１，２１がシールされ、表裏フィルム１０，２０の一端側にヘッダ部３１、他端側に収納部３２が設けられ、ヘッダ部３１と収納部３２との境界をシールして封止部３３が設けられ、裏フィルム２０をヘッダ部３１から収納部３２の方へ引き裂く開封起点４０が裏フィルム２０のヘッダ部３１内に設けられている。開封起点４０は、円弧形状、逆Ｕ字形状、逆Ｖ字形状など山形形状の切込線により封止部３３に沿って複数設けられ、切込線の両端４１a，４１ｂ，４２ａ，４２ｂが封止部３３の方に向かい、一方の切込線４１の内側端部分４１ｃと、他方の切込線４２の内側端４２ｂとが連続したものとされている。【選択図】図１
2011051641.tif 000002
【特許請求の範囲】
【請求項１】
重ね合わされている２枚のフィルムの両側縁がシールされ、２枚のフィルムの一端側にヘッダ部、他端側に収納部が設けられ、ヘッダ部と収納部との境界をシールして封止部が設けられ、一方のフィルムをヘッダ部から収納部の方へ引き裂く開封起点が一方のフィルムのヘッダ部内に設けられた食品用の包装袋において、
前記開封起点が山形形状の切込線により封止部に沿って複数設けられ、該切込線の両端が封止部の方に向かい、一方の切込線の内側端又は内側端部分と、該一方の切込線に隣り合っている他方の切込線の内側端とが連続していることを特徴とする食品用の包装袋。
【請求項２】
前記一方の切込線の内側端部分と他方の切込線の内側端とは、近接した状態に連続していることを特徴とする請求項１に記載の食品用の包装袋。
【請求項３】
前記一方のフィルムの内側面に内フィルムが重ね合わされ、一方のフィルムと内フィルムとが前記開封起点から前記収納部に亘って帯状に貼着されていることを特徴とする請求項１又は請求項２に記載の食品用の包装袋。
【請求項４】
前記一方のフィルムと内フィルムとは、内フィルムの両側縁に沿っても貼着されていることを特徴とする請求項３に記載の食品用の包装袋。
【発明の詳細な説明】
【技術分野】
【０００１】
本発明は、サンドイッチやカステラなどの食品（以下、主として「サンドイッチ」という。）を包装するための食品用の包装袋に関し、詳しくは、重ね合わされた２枚のフィルムの間にサンドイッチを収納する収納部が備えられ、一方のフィルムが引き裂かれることによって開封される食品用の包装袋に関する。
【背景技術】
【０００２】
側面形状が直角三角形状のサンドイッチは、例えば図６ないし図８に示すような食品用の包装袋１００に包装されて販売されている。
【０００３】
この食品用の包装袋は、図６に示すように、重ね合わされている台形状の透明な又は所定の印刷が施された表フィルム１１０及び裏フィルム１２０の両側縁１１１，１２１が溶断シールされ、幅の狭い一端（以下、「上端」という。）側に突片状に突出したヘッダ部１０１が設けられ、幅の広い他端（以下、「下端」という。）にサンドイッチＳ（図７参照）の挿入口となる開口部１０２が設けられ、両側縁１１１，１２１とヘッダ部１０１と開口部１０２とで囲まれた内側にサンドイッチＳの収納部１０３が設けられている。
【０００４】
そして、ヘッダ部１０１と収納部１０３との境界部は、帯状にシールされた封止部１０４とされている。ヘッダ部１０１は、両側縁１１１，１２１と封止部１０４だけでなく、上端縁１１２，１２２もシールされている。このヘッダ部１０１を構成している裏フィルム１２０のほぼ中心部には、開封起点とされる逆Ｕ字形の切込線１２３が入れられ、切込線１２３の内側が摘み上げることのできる舌片状の摘み部１２４とされている。さらに、裏フィルム１２０の内側面には、摘み部１２４の位置から封止部１０４を交差して開口部１０２付近まで、裏フィルム１２０を引き裂くための細い帯状の切断手段（以下、「カットテープ」という。）１３０が貼着されている。
【０００５】
そして、重ね合わされた表フィルム１１０と裏フィルム１２０は、図７に示すように、開口部１０２が長方形状に開口されることにより、裏フィルム１２０及び表フィルム１１０の各側縁１２１，１１１に跨った部分が一対の対向する三角形状の側面部Ａ，Ａとなり、裏フィルム１２０の中間部分が長方形状の背面部Ｂとなり、そして表フィルム１１０の中間部分が長方形状の正面部Ｃとなり、空間をもった収納部１０３が形成される。この収納部１０３内にサンドイッチＳが収納される。
【０００６】
そして、開口部１０２側の表フィルム１１０と裏フィルム１２０は、図８に示すように折り畳まれて底部Ｄとされ、この底部Ｄは粘着テープ（図示せず）などによって封緘されることにより、サンドイッチＳが包装された状態とされる。
【０００７】
包装されたサンドイッチＳを食するには、片方の手の指でヘッダ部１０１を摘み、他方の手の指で裏フィルム１２０に設けられた摘み部１２４を摘んで真っ直ぐ下方へ引っ張る。すると、図８の仮想線で示すように、カットテープ１３０が裏フィルム１２０の封止部１０４を裁断し、裏フィルム１２０を下方へ引き裂く。裏フィルム１２０が底部Ｄの方まで引き裂かれることにより、食品用の包装袋１００が開封され、サンドイッチＳを収納部１０３内から取り出すことができる。
【０００８】
このような食品用の包装袋におけるカットテープ１３０は、細い方が裏フィルム１２０を引き裂きやすいことから、一般的に細めのものが使用されている。したがって、開封された食品用の包装袋は、カットテープ１３０によって裏フィルム１２０が細く引き裂かれる。しかし、サンドイッチＳは幅が広いため、裏フィルム１２０が細く引き裂かれただけでは、サンドイッチＳを収納部１０３内から取り出しにくい。
【０００９】
また、摘み片１２４が真っ直ぐ下方でなく、斜め下方に引っ張られると、摘み片１２４が封止部１０４を通過するときに、封止部１０４に沿って片方の側縁１１１，１２１の方へ引き裂かれ、さらに、側縁１１１，１２１のシールが剥がれることにより、サンドイッチＳが表裏フィルム１１０，１２０の間からこぼれ落ちることもある。
【００１０】
そこで、包装されたサンドイッチを適正に取り出すことができるようにした食品用の包装袋が特許文献１に開示されている。
【００１１】
この食品用の包装袋は、図９に示すように、重ね合わされた表フィルム１１０と裏フィルム１２０とにヘッダ部１０１と収納部１０３とを設け、このヘッダ部１０１と収納部１０３との境界をシールすることによってシール部（封止部）１０４を設け、この封止部１０４と開口部１０２との間で、封止部１０４に近接した位置の裏フィルム１２０に、切込線１２３によって開封起点１２５を設け、切込線１２３を覆う封緘兼開封片１２６を開封起点１２５に貼着し、開封起点１２５あるいは開封起点１２５に近接した位置から開口部１０２に向かう切断手段１３０を裏フィルム１２０の内面に設けたものとされている。
【００１２】
切込線１２３は、封止部１０４から開口部１０２へ向かう方向（図面において縦方向）と、この方向に直交する方向（図面において横方向）とに引き裂くことができる形状、例えば、Ｘ字形や逆Ｙ字形とされている。
【００１３】
そして、この食品用の包装袋は、開封起点１２５が封止部１０４と開口部１０２との間であって、封止部１０４に近接した位置に設けられることにより、裏フィルム１２０が封止部１０４と交差することなく引き裂かれ、封緘兼開封片１２６が開封起点１２５に貼着されることによって、外気や埃などが切込線１２３から収納部１０３内に侵入しないようにされている。
【００１４】
そして、切断手段１３０は、図示したような細長い五角形状の帯状部材のほか、逆Ｙ字形の部材などの形状とされることにより、裏フィルム１２０を幅広に引き裂くことができるようにされている。したがって、この食品用の包装袋は、包装されたサンドイッチＳを収納部内から容易に取り出すことができる。
【先行技術文献】
【特許文献】
【００１５】
【特許文献１】特許第４０５６８５１号公報
【発明の概要】
【発明が解決しようとする課題】
【００１６】
特許文献１に開示された食品用の包装袋は、封緘兼開封片１２６を開封起点１２５に貼着するなど構造が複雑であることから、生産性が悪いものとなっている。また、開封起点１２５が封止部１０４と開口部１０２との間であって、封止部１０４に近接した位置に設けられることにより、開封部と封止部１０４との間を幅広に引き裂くことができず、必ずしもサンドイッチを収納部から容易に取り出すことができるものとはなっていない。
【００１７】
そこで、本発明は、サンドイッチその他の食品を収納部から容易に取り出すことができ、しかも、構造が簡易な食品用の包装袋を提供することを課題とする。
【課題を解決するための手段】
【００１８】
本発明に係る食品用の包装袋は、重ね合わされている２枚のフィルムの両側縁がシールされ、２枚のフィルムの一端側にヘッダ部、他端側に収納部が設けられ、ヘッダ部と収納部との境界をシールして封止部が設けられ、一方のフィルムをヘッダ部から収納部の方へ引き裂く開封起点が一方のフィルムのヘッダ部内に設けられた食品用の包装袋において、前記開封起点が山形形状の切込線により封止部に沿って複数設けられ、該切込線の両端が封止部の方に向かい、一方の切込線の内側端又は内側端部分と、該一方の切込線に隣り合っている他方の切込線の内側端とが連続していることを特徴としている。
【００１９】
この食品用の包装袋は、収納部内に食品が収納されるが、この食品を収納部から取り出すには、一方のフィルムを開封起点で摘んで引っ張ることにより、一方のフィルムを開封起点から収納部の方へ引き裂くものとされている。開封起点がヘッダ部に設けられ、かつ、切込線の両端が封止部の方に向かっているため、一方のフィルムは、封止部において他方のフィルムから剥離して収納部まで引き裂かれる。
【００２０】
そして、開封起点が山形形状の切込線によって幅方向に複数設けられていることにより、まず、一方の切込線によって設けられた開封起点から裏フィルムを帯状に引き裂き、続いて、他方の切込線によって設けられた開封起点から一方のフィルムを帯状に引き裂く。したがって、一方のフィルムは各切込線から幅広に引き裂かれる。また、一方の切込線の内側端又は内側端部分と他方の切込線の内側端とが連続していることにより、帯状に引き裂かれた部分と帯状に引き裂かれた部分との間に切残しが生じない。
【００２１】
なお、切込線の両端及び内側端は、切込線の先端の一点で特定される部位であり、切込線の内側端部分は、切込線の先端の一点から内側に寄った一定の長さを有する部位である。
【００２２】
また、前記本発明に係る食品用の包装袋において、前記一方の切込線の内側端部分と他方の切込線の内側端とは、近接した状態に連続していてもよい。
【００２３】
一方の切込線の内側端部分と他方の切込線の内側端とが近接した状態に連続、すなわち、わずかな間隔が設けられていても、一方の切込線によって設けられた開封起点から一方のフィルムを引き裂き、続いて、他方の切込線によって設けられた開封起点から一方のフィルムを引き裂いたときに、両者間に切残しが生じない。
【００２４】
なお、一方の切込線と他方の切込線とを別々のカッターによって入れる場合において、一方の切込線の内側端部分と他方の切込線の内側端とがわずかな間隔を設けることなく連続させることが困難であるだけでなく、他方の切込線の内側端部分が一方の切込線の内側端部分に交差してしまうことがある。この切込線の内側端部同士が交差すると、一方の切込線から引き裂かれた帯状の部分と他方の切込線から引き裂かれた帯状の部分との間に残余部が生じる場合がありえる。
【００２５】
また、前記本発明に係る食品用の包装袋において、前記一方のフィルムの内側面に内フィルムが重ね合わされ、一方のフィルムと内フィルムとが前記開封起点から前記収納部に亘って帯状に貼着されていることが好ましい。
【００２６】
一方のフィルムの内側面に重ね合わされる内フィルムは、ヘッダ部内にも備えられる。そして、一方のフィルムと内フィルムとが前記開封起点から前記収納部に亘って帯状に貼着されていることにより、一方のフィルムを開封起点で摘まむと、内フィルムも摘まれ、一方のフィルムと内フィルムは、貼着された部位で帯状に引き裂かれる。したがって、一方のフィルムと内フィルムは、収納部において確実に真っ直ぐ引き裂かれる。
【００２７】
また、前記本発明に係る食品用の包装袋において、前記一方のフィルムと内フィルムとは、内フィルムの両側縁に沿っても貼着されていることが好ましい。
【００２８】
この食品用の包装袋によれば、内フィルムの両側縁に沿って一方のフィルムと内フィルムとが貼着されていることにより、内フィルムの側縁に向かう力が加えられても、貼着された側縁に沿う部位よりも外側に引き裂かれないようにすることができ、また、真っ直ぐに引き裂かれた後の内フィルムは、両側縁が一方のフィルムから外れず、食品を収納部から取り出す際に、内フィルムの両側縁が食品に付着しないようにすることができる。
【発明の効果】
【００２９】
本発明によれば、開封起点が山形形状の切込線により封止部に沿って複数設けられることにより、一方のフィルムを幅広に引き裂くことができるだけでなく、構造が簡易なものとされていることにより、生産性に優れた食品用の包装袋を提供することができる。
【図面の簡単な説明】
【００３０】
【図１】本発明に係る食品用の包装袋の一実施形態を示す正面図である。
【図２】本発明に係る食品用の包装袋の一実施形態であって、開封途中の状態を示す斜視図である。
【図３】本発明に係る食品用の包装袋の一実施形態であって、開封後の状態を示す斜視図である。
【図４】本発明に係る食品用の包装袋の前記と異なる実施形態を示す正面図である。
【図５】本発明に係る食品用の包装袋の前記とさらに異なる実施形態を示す正面図である。
【図６】従来の食品用の包装袋の一例を示す正面図である。
【図７】従来の食品用の包装袋によって食品を包装する途中の状態を示す斜視図である。
【図８】従来の食品用の包装袋によって食品を包装した状態を示す斜視図である。
【図９】従来の食品用の包装袋の前記と異なる例を示す正面図である。
【発明を実施するための形態】
【００３１】
本発明に係る食品用の包装袋の実施形態について図１ないし図３を参照しながら説明する。
【００３２】
この食品用の包装袋は、図１に示すように、重ね合わされた台形状の２枚のフィルム（以下、「表フィルム」、「裏フィルム」という。）１０，２０の両側縁１１，２１がシールされ、幅の狭い一端（以下、「上端」という。）側にヘッダ部３１、幅の広い他端（以下、「下端」という。）側に収納部３２がそれぞれ設けられ、このヘッダ部３１と収納部３２との境界を帯状にシールして封止部３３が設けられ、さらにヘッダ部３１の上端３１ａ付近が極細にシールされ、下端側がシールされず開口部３４とされている。
【００３３】
ヘッダ部３１は、台形状に形成されるが、長方形状や正方形状に形成したものとしてもよい。また、開口部３４は、サンドイッチやカステラなどの食品（以下、「サンドイッチ」という。）Ｓを挿入する部位であり、表裏フィルム１０，２０が離間して、四角形状に開口するようにされている。この開口部３４が開口しやすいように、裏フィルム２０が表フィルム１０よりも短くされ、又は、表フィルム１０が裏フィルム２０よりも短くされている。
【００３４】
そして、一方のフィルム（この実施形態では裏フィルム）２０をヘッダ部３１から収納部３２の方へ引き裂くための複数（図面では２箇所であるが、３箇所以上であってもよい。）の開封起点４０，４０が裏フィルムのヘッダ部３１内であって、封止部３３に沿って設けられている。
【００３５】
開封起点４０は、円弧形状、逆Ｕ字状、あるいは逆Ｖ字状などの山形形状の切込線４１，４２によって設けられている。この切込線４１，４２の両端４１a，４１ｂ，４２ａ，４２ｂは、封止部３３の方に向かい、一方の切込線４１の内側端部分４１ｃと、他方の切込線４２の内側端４１ｂとが連続している。開封起点４０，４０が３箇所以上設けられる場合は、隣り合っている切込線４１，４２の内側端部分４１ｃと内側端４２ｂとが連続するようにされている。
【００３６】
なお、切込線４１，４２の両端４１a，４１ｂ，４２ａ，４２ｂ及び内側端４１ｂ,４２ｂは、切込線４１，４２の先端の一点で特定される部位であり、切込線４１，４２の内側端部分４１ｃ、４２ｃは、切込線４１，４２の先端の一点から内側に寄った一定の長さを有する部位である。
【００３７】
このような切込線４１，４２によって半周ほど囲まれた内側は、摘み上げられる摘み片４０ａ，４０ｂとされている。ここでは、一方の切込線４１によって囲まれている方（図面において左側）を第１の摘み片４０ａ、他方の切込線４２によって囲まれている方（図面において右側）を第２の摘み片４０ｂという。なお、図面において、右側に第１の摘み片４０ａ、左側に第２の摘み片４０ｂを設けてもよい。
【００３８】
そして、裏フィルム２０の内側面に長方形状の内フィルム５０がヘッダ部３１と収納部３２とに跨って重ね合わされ、開封起点４０から収納部３２に亘って裏フィルム２０と内フィルム５０とがヒートシールなどによって帯状に貼着さている（網点で図示する。）。
【００３９】
この内フィルム５０は、裏フィルム２０と内フィルム５０とがヒートシールなどによって貼着されて、ヒートシールされた所期の開封方向（図面において縦方向）に引き裂かれる性質を有するものとなることから、食品を包装したときに無害な各種のプラスチックフィルムを使用することができる。ただし、内フィルム５０は、所期の開封方向に引き裂かれる方向性フィルムを使用することが好ましい。
【００４０】
また、内フィルム５０は、封止部３３において、表フィルム１０とも帯状にシールされるため、両面ヒートシール性フィルムを使用することが好ましい。また、封止部３３において、裏フィルム２０及び内フィルム５０が表フィルム１０から剥離して引き裂かれやすいように、封止部の３１ａの上端側は、鋸歯形状とすることが好ましい。なお、内フィルム５０は、片面ヒートシール性フィルムを使用し、裏フィルム２０とのみヒートシールし、表フィルム１０とは無害で無臭の接着剤によって接着するようにしてもよい。
【００４１】
また、内フィルム５０が裏フィルム２０の上端３１ａから重ね合わされている場合は、内フィルム５０と裏フィルム２０とは上端３１ａから貼着してもよい。この場合の内フィルム５０は、裏フィルム２０の切込線４１，４２と同じ位置、すなわち重なり合うように切込線（採番せず）が入れられている。
【００４２】
また、内フィルム５０は、背面部Ｂを全面で補強するために背面部Ｂとほぼ同じ幅とされる。この場合は、内フィルム５０の両側縁５１，５１に沿って直線状や点線状に裏フィルム２０と貼着され（網点で図示する。）、あるいは数箇所がポイントシールされることにより、サンドイッチＳを取り出す際に、取り出されたサンドイッチＳに内フィルム５０の各側縁５１，５１が付着しないようにされている。なお、内フィルム５０は、裏フィルム２０と同じ形状としてもよいし、逆に、複数の開封起点４０，４０の間隔と同じ幅としてもよい。
【００４３】
以上のように構成された食品用の包装袋は、開口部３４が長方形状に開口されて、収納部３２内にサンドイッチＳが収納され、開口部３４側の表裏両フィルム１０，２０が折り畳まれ、封緘されることによって、サンドイッチＳが包装された状態となる。この包装袋は、背面部Ｂにおいて、裏フィルム２０に内フィルム５０が重ね合わされていることにより、背面部Ｂに外力が加えられても、変形しにくいものとなっている。
【００４４】
このように食品用の包装袋に包装されたサンドイッチＳを食するには、まず、図２に示すように、第１の摘み片４０ａを摘んで下方に引っ張る。第１の摘み片４０ａと重なっている部分の内フィルム５０にも切込線が入れられ、裏フィルム２０に貼着されているため、内フィルム５０も摘ままれて下方に引っ張られる。
【００４５】
すると、裏フィルム２０と内フィルム５０は、封止部３３において表フィルム１０から剥離する。また、裏フィルム２０と内フィルム５０とは、貼着され、補強された状態となっていることから、封止部３３において表フィルム１０から剥離するときに千切れることがない。そして、裏フィルム２０及び内フィルム５０は底部Ｄまで帯状に引き裂かれる。
【００４６】
続いて、第２の摘み片４０ｂを摘んで下方に引っ張る。すると、裏フィルム２０と内フィルム５０は、封止部３３において表フィルム１０から剥離し、底部Ｄまで帯状に引き裂かれる。また、裏フィルム２０と内フィルム５０とに内フィルム５０の側縁に向かう力が加えられても、内フィルム５０の側縁に沿って貼着されていることにより、裏フィルム２０と内フィルム５０はこの側縁よりも外側に引き裂かれず、底部Ｄまで引き裂かれる。このようにして、食品用の包装袋は、図３に示すように、包装袋の背面部Ｂが幅広に引き裂かれ、幅広の開口部Ｅが形成される。
【００４７】
この開封された食品用の包装袋は、第１の摘み片４０ａを形成している切込線４１の内側端部分４１ｃと第２の摘み片４０ｂを形成している切込線４２の内側端４２ｂとが連続しているため、開口部Ｅには切残しがない。したがって、この食品用の包装袋は、収納部３２内のサンドイッチＳを開口部Ｅから容易に取り出すことができるものとなっている。
【００４８】
また、収納部３２内に残存した内フィルム５０の両側縁５１，５１は、この両側縁５１，５１が裏フィルム２０に貼着されていることから、サンドイッチＳに付着しない。したがって、取り出したサンドイッチＳは、内フィルム５０を取り除くことなく食することができる。
【００４９】
なお、本発明は、前記実施の形態に限定することなく種々変更することができる。例えば、開封起点４０，４０は、図４に示すように、一方の切込線４１の内側端部分４１ｃと他方の切込線４２の内側端４２ｂとが近接した状態に連続してもよい。
【００５０】
例えば、一方の切込線４１と他方の切込線４２とを別々のカッター（図示せず）によって入れる場合において、一方の切込線４１の内側端部分４１ｃと他方の切込線４２の内側端部分４２ｃとが交差することがある。すると、第１の摘み片４０ａから裏フィルム２０と内フィルム５０を引き裂いた後、第２の摘み片４０ｂから裏フィルム２０と内フィルム５０を引き裂くと、この引き裂かれた間に切り残しが生じてしまう。
【００５１】
そこで、一方の切込線４１の内側端部分４１ｃと他方の切込線４２の内側端４２ｂとが近接した状態に連続することにより、切り残しが生じないようにすることができる。この一方の切込線４１の内側端部分４１ｃと他方の切込線４２の内側端４２ｂとが近接するとは、一方の切込線４１の内側端部分４１ｃと他方の切込線４２の内側端４２ｂとの間にわずかな間隔が設けられることであるが、わずかな間隔が設けられても、第１の摘み片４０ａを引っ張った後、第２の摘み片４０ｂを引っ張ることにより、わずかな間隔は引き裂かれ、切り残しは生じない。
【００５２】
また、開封起点４０は、図５に示すように、一方の切込線４１の内側端４１ｂと他方の切込線４２の内側端４２ｂとがわずかな間隔をあけることなく連続して設けてもよい。この開封起点４０にあっては、どちらの摘み片４０ａ，４０ｂから引っ張ってもよいものとなっている。
【００５３】
また、内フィルム５０の両側縁５１，５１は、裏フィルム２０に貼着しないものとしてもよい。この場合、収納部３２内から取り出されたサンドイッチＳに内フィルム５０の側縁５１が付着していると、この内フィルム５０の側縁５１を取り除き、サンドイッチＳを食する。また、開封起点４０は、裏フィルム２０でなく、表フィルム１０に設けてもよい。
【００５４】
また、食品用包装袋は、内フィルム５０を備えないものとしてもよい。ただし、内フィルム５０を備えない場合は、開封起点４０から引き裂かれる裏フィルム２０又は表フィルム１０は、所期の開封方向に引き裂かれる方向性フィルムを使用し、あるいは、一般的なカットテープを引裂かれる裏フィルム２０又は表フィルム１０に貼着し、あるいは、帯状にわずかに加熱するなどして剛性を高めたものとすることが好ましい。また、表裏両フィルム１０，２０は、台形状でなく、四角形状であってもよい。
【符号の説明】
【００５５】
１０……表フィルム
２０…… 裏フィルム
２１……側縁
３１……ヘッダ部
３２……収納部
３３……封止部
３４……開口部
４０……開封起点
４１……切込線
４１ａ…端
４１ｂ…内側端
４１ｃ…内側端部分
４２……切込線
４２ａ…端
４２ｂ…内側端
４２ｃ…内側端部分
５０……内フィルム
５１……側縁
【図１】
2011051641.tif 000003
【図２】
2011051641.tif 000004
【図３】
2011051641.tif 000005
【図４】
2011051641.tif 000006
【図５】
2011051641.tif 000007
【図６】
2011051641.tif 000008
【図７】
2011051641.tif 000009
【図８】
2011051641.tif 000010
【図９】
2011051641.tif 000011